(57)【要約】【課題】扉の完全閉鎖に強い力を必要とせず、シール部材の磨滅もほとんど生じないドアボトム装置を提供する。【解決手段】昇降機構が、出没子１８の没入動作によってシール部材１２を押し下げる方向に湾曲し、出没子１８の戻り動作によりシール部材１２を引き上げる方向に弾性復帰する板バネ１５からなり、遅延機構が、出没子１８とシール部材１２との間に介装された圧縮バネ１７と、圧縮バネ１７が、出没子１８の没入によって圧縮され、その後に伸長復帰するように制御するダンパー１９とからなる。ドアの閉じ動作により出没子１８が没入したとき、遅延機構によって時間的に遅れてシール部材１２が降下する。このため、ドアの閉じ動作中はシール部材１２が扉下枠と接触せず、ドアの閉鎖完了時にシール部材１２が降下完了して完全密閉できる。シール部材１２の磨滅も生じにくく、扉を閉じるのに強い力も必要としない。【選択図】図１
0003138325.tif 000002
【実用新案登録請求の範囲】
【請求項１】
ドアの下部に取り付けられ、下面が開口しているケースと、
該ケースの横端面から横方向に出没自在な出没子と、
前記ケースの下部開口から上下方向に出没自在なシール部材と、
該シール部材を上下に昇降させる昇降機構と、
前記出没子の没入動作開始点より遅れて前記シール部材を降下させる遅延機構とからなり、
前記昇降機構が、
前記出没子と前記シール部材との間を連結した板バネからなり、出没子の没入動作によって前記シール部材を押し下げる方向に湾曲し、前記出没子の戻り動作により前記シール部材を引き上げる方向に弾性復帰する板バネからなり、
前記遅延機構が、
前記出没子と前記シール部材との間に介装された圧縮バネと、
前記圧縮バネが、前記出没子の没入によって圧縮され、その後に伸長復帰するように制御するダンパーとからなる
ことを特徴とするドアボトム装置。
【考案の詳細な説明】
【技術分野】
【０００１】
本考案は、ドアボトム装置に関する。さらに詳しくは、音楽教室や放送スタジオなど、室内外を気密に区画する必要のある気密扉や防音扉等において、ドアの下面と床面との間を密封するドアボトム装置に関する。
【背景技術】
【０００２】
従来のドアボトム装置として、特許文献１〜５のものが知られている。
この特許文献１〜５の基本構成は共通しているので、その共通の構成を図７に基づき説明する。
同（Ａ）図は、ドア開放時にシール部材110が上昇している状態を示し、同（Ｂ）図はドア閉鎖時にシール部材110が下降している状態を示している。
ドアの下面にドアボトム装置100が取付けられており、このドアボトム装置100の溝107に、帯状の弾性体108とシール部材110を支持する支持体109とを組込み、この弾性体108の中央部を支持体109に連結している。そして、弾性体108の一端をドアに固定し、他端にロッド115を介して出没子116を連結している。なお、ロッド115に調整筒をねじ込むものも存する。
この従来例において、ドアの開閉によって出没子116が扉枠に接触して弾性体108を撓ませると、シール支持体109が下降するので、ドアの下面からシール部材110が突出し、床面に弾性接触させてその間をシールすることができる。
【０００３】
しかるに、従来のドアボトム装置100は、扉閉鎖時に、出没子116が型枠に当接したと同時にシール部材110が下降を始め、扉が完全に閉鎖された時にはシール部材110が最下端まで移動しているが、その間に、扉の下枠とシール部材11の摩擦のために抵抗が生じ、扉を閉鎖するのに強い力を必要とする欠点がある。また、シール部材110が扉の下枠に摺動しながら動くため、シール部材110が磨り減ってしまう欠点がある。さらに、気密性の高い扉においては、扉と扉の下枠の間をシール部材110で押しつけるが、このシール部材110により部屋の空気の逃げ道が制限され、扉を完全に閉鎖するのに更に強い力を必要とするという欠点もある。
【０００４】
【特許文献１】特開平９−１１２１５４
【特許文献２】特開平１０−２２０１２４
【特許文献３】特開平１０−２３８２５１
【特許文献４】特開２０００−１９２７５３
【特許文献５】特開２００３−１９３７６４
【考案の開示】
【考案が解決しようとする課題】
【０００５】
本考案は上記事情に鑑み、扉の閉鎖動作中は摩擦抵抗が生じず、扉の完全閉鎖に強い力を必要とせず、シール部材の磨滅もほとんど生じないドアボトム装置を提供することを目的とする。
【課題を解決するための手段】
【０００６】
第１考案のドアボトム装置は、ドアの下部に取り付けられ、下面が開口しているケースと、該ケースの横端面から横方向に出没自在な出没子と、前記ケースの下部開口から上下方向に出没自在なシール部材と、該シール部材を上下に昇降させる昇降機構と、前記出没子の没入動作開始点より遅れて前記シール部材を降下させる遅延機構とからなり、前記昇降機構が、前記出没子と前記シール部材との間を連結した板バネからなり、出没子の没入動作によって前記シール部材を押し下げる方向に湾曲し、前記出没子の戻り動作により前記シール部材を引き上げる方向に弾性復帰する板バネからなり、前記遅延機構が、前記出没子と前記シール部材との間に介装された圧縮バネと、前記圧縮バネが、前記出没子の没入によって圧縮され、その後に伸長復帰するように制御するダンパーとからなることを特徴とする。
【考案の効果】
【０００７】
第１考案によれば、ドアの閉じ動作により出没子が没入したとき、圧縮バネを押して圧縮するが、ダンパーは伸びたままであり、その後圧縮力によって収縮するようになる。ダンパーが収縮してしまうと、圧縮バネの押圧力が板バネに加わるようになるので、シール部材が降下するようになる。このように、ダンパーによって吊下げバネを湾曲させるまでの遅延時間を稼ぐことができる。このため、ドアの閉じ動作中はシール部材が扉下枠と接触せず、ドアの閉鎖完了時にシール部材が降下完了して完全密閉できることになる。したがって、扉を閉じるのに強い力も必要とせず、シール部材の磨滅も生じにくい。
【考案を実施するための最良の形態】
【０００８】
つぎに、本考案の実施形態を図面に基づき説明する。
まず、図２に基づき、本考案の適用対象であるドアを説明する。１は片開きのドア、２は正面視で長方形のドア枠であり、ドア１は蝶番３によりドア枠に対し、開閉自在に取付けられている。本考案に係るドアボトム装置１０はドア１の底部に取付けられている。また、このドアボトム装置１０を構成するシール部材は、下のドア枠２に接触するように設けられている。
なお、ドア枠を全体として示すときは、符号２を用いるが、各部を個別に示すときは、下部枠２ｂ、上部枠２ｕ、側枠２ｓと表示する。
【０００９】
上記のドアボトム装置１０の取付構造を図３に基づき更に具体的に説明する。
同（Ａ）図に示すように、ドア１の裏面下部に収容凹部１ｒが形成され、その内部にドアボトム装置１０がケースごと収容されて固定されている。なお、符号４は上部の遮音パッキンである。
また、同（Ｂ）図に示すように、ドアボトム装置１０を構成する出没子１８が、ドア１の蝶番側の端面から外方に向って突出している。なお、同図において、符号４は、両側部の遮音パッキンである。
【００１０】
つぎに、第１実施形態のドアボトム装置１０を図１に基づき説明する。符号１１はケースであり、ドア１の幅に合わせた長さを有し、側面視で長四角の形状である。そして、下面が開放されている。
このケース１１の内部には、シール部材１２が挿入されている。シール部材１２は円形のパッキン部12aとＴ字形の支持部12bが一対に形成された、ゴム等の弾性材料である。１３は、前記支持部12bを嵌合してシール部材１２を保持する、剛性材料製の支持体である。
【００１１】
前記支持体１３の長手方向略中央には、ピン１４が植設されており、そのピン１４下側に細長い板バネ１５が通されている。そして、板バネ１５の図中右端15aがケース１１に固定され、図中左端15bがプッシュロッド１６に結合されている。
このプッシュロッド１６の左側には圧縮バネ１７が接続され、更にその左には出没子１８が連結されている。また、プッシュロッド１６の右側には、ダンパー１９が直列的に連結されている。
このダンパー１９は、急速な外力が加わっても、緩慢に応答して収縮し、外力が除かれたとき素早く伸長する機械的な時間遅延要素である。
【００１２】
つぎに、本実施形態のドアボトム装置における動作を説明する。
（Ｉ）ドア開放状態
図３（Ｂ）において、実線で示すドアはドアが開いている状態である。この状態は、図５および図６の各（Ｉ）図に対応している。これらの（Ｉ）図に示すようにシール部材１２は上昇位置にある。
（II）ドアの閉止直前
ドア１を閉じ始めて、閉じる直前になると、出没子１８がドア枠２ｓに当って没入しはじめる。没入した状態では、図５および図６の各（II）図に示すように、圧縮バネ１７が縮められた状態となる。ただし、図６（II）に示すように、ダンパー１９は伸びた状態のままであり、この後しだいに収縮していくことになる。
このドア閉じ動作の間、シール部材１２は降下しきってないので、ドアの下部枠２ｂと接触することはなく、ドア１の閉じ動作は軽い力で行え、シール部材１２の摩耗も生じにくいという利点がある。
【００１３】
（III）ドア閉止状態
図４はドア１を完全に閉止した状態を示している。図５および図６の前記（II）からこの（III）状態に至る間に、出没子１８からの圧力を受けダンパー１９が収縮していくので、圧縮バネ１７が伸びていく。この圧縮バネ１７の伸び動作、すなわちプッシュロッド１６の移動（右寄せ）によって、板バネ１５が押され湾曲するように変形していくので、その湾曲変形によってシール部材１２は下方に押し下げられる。
このように、ドア１がほぼ完全に閉まった時に、シール部材１２がドア枠２と密着して部屋を密閉することになるので、ドア閉止状態では部屋の防音は確実となる。
【００１４】
上記実施形態のドアにおいて、ドア閉止状態からドア開放状態にするときは、出没子１８がドア枠２から離れてフリーな状態になるため、湾曲変形していた板バネ１５がそれ自身の弾性で湾曲していた状態から元の状態に伸びていく。この際、ダンパーは圧縮時のみ緩慢に応答し、伸長時には素早く復元する一方向作用のタイプを使用しているため、板バネの伸び動作によって、シール部材は素早く引き上げられ、ドアの下枠部２ｂとの間に隙間が出来る。よって、ドア開放時は従来のドアボトムと同じ動作になる。
【００１５】
前記実施形態では、片開きドアで説明したが、本考案のドアボトム装置は両開きドアにも適用することができ、また引き戸にも適用することができる。
【図面の簡単な説明】
【００１６】
【図１】本考案の第１実施形態に係るドアボトム装置の説明図であり、（Ａ）は正面図、（Ｂ）は（Ａ）図のＢ−Ｂ線矢視図である。
【図２】本考案が適用されるドアの正面図である。
【図３】本考案に係るドアボトム装置の取付説明図であって、（Ａ）図は図２のＡ−Ａ線断面図、（Ｂ）図は図２のＢ−Ｂ線断面図である。
【図４】図１のドアボトム装置のドア閉鎖完了時における説明図である。
【図５】図１のドアボトム装置の動作説明図である。
【図６】図１のドアボトム装置の機能説明図である。
【図７】従来のドアボトム装置の説明図である。
【符号の説明】
【００１７】
１０  ドアボトム装置
１１  ケース
１２  シール部材
１５  板バネ
１７  圧縮バネ
１８  出没子
１９  ダンパー
【図１】
0003138325.tif 000003
【図２】
0003138325.tif 000004
【図３】
0003138325.tif 000005
【図４】
0003138325.tif 000006
【図５】
0003138325.tif 000007
【図６】
0003138325.tif 000008
【図７】
0003138325.tif 000009